(57)【要約】【課題】同一ラック内に複数のＰＣサーバを搭載し、それぞれのＰＣサーバがＦＡＮ制御を行なった際も、頻繁にＦＡＮ回転数が変動しないように、冷却効率を上げてＦＡＮ回転数制御の回数を減らし、低速で安定した回転数を維持する事をそれぞれの装置で実現するべきである。また、後発サポートされるオプション品にも対応できるような汎用性の実現が必要である。【解決手段】冷却風を集めるためのダクト１６と冷却のし難い部分に実装された高発熱部位をピンポイントで冷却するための蛇腹式冷却チューブ１９を、図１のような高温発熱部位を筐体内に多数点在するＰＣサーバ内に実装する事で、冷却効率を上げ一部の高温発熱部位のためだけにＦＡＮ回転数が高い状態に移行しないよう制御し、各ＰＣサーバでＦＡＮ制御回数を減らし、低速で安定した回転数を維持する事ができる事を主な特徴とする。【選択図】図１
2012234855.tif 000002
【特許請求の範囲】
【請求項１】
ＨＤＤ、ＣＰＵ、メモリ、オプションボード、ＬＳＩなど、複数の高温発熱部位が装置内で階層的に入り組んで点在するＰＣサーバにおいて、冷却風を集めるためのダクト、冷却風を必要な場所まで確実に運ぶ冷却チューブ、プラスチック製支柱を設けた事を特徴とする冷却方式。
【請求項２】
特許請求の範囲第１項記載の、ダクトと冷却チューブにそれぞれネジ山を設けて、必要のある時にのみ必要数だけ簡単に取り付け可能にした事を特徴とする冷却方式。
【請求項３】
特許請求の範囲第１項記載の冷却チューブを蛇腹式にし、チューブを曲げ易く曲げた際も冷却風の通り道が確保できるような強度を持たせた事を特徴とする冷却方式。
【請求項４】
特許請求の範囲第１項記載のプラスチック製支柱の首部分がさまざまな高さの物を用意する事で、冷却チューブが階層的になった高温部位のより近傍に配置し易くした事を特徴とする冷却方式。
【発明の詳細な説明】
【技術分野】
【０００１】
本発明は、同一筐体内に複数の発熱部位が存在するＰＣサーバの冷却方式に関するものである。
【背景技術】
【０００２】
ＰＣサーバという位置付けから、一つの筐体構造で色々な内蔵オプション品をサポートする必要がある為、構成によっては発熱量が大きく高温になる部品が筐体内の至る所に点在してしまう問題が起きている。
【０００３】
また、開発周期が早く開発費を抑える目的も含め、何世代か同じような外観構造のまま内蔵部品の次世代対応を繰り返していると、高温部位の位置が微妙にずれて、冷却効率が落ちてしまう問題も起きている。
【０００４】
近年は、より小さな筐体構造を実現する為に筐体内の密集度が上がり、効率良く冷却を行なう事も困難になってきている為、一部の高温部位が、構造上冷却しにくい位置に入り込んでしまい、高温部位近辺の空気を無理やりまとめて強制排出させる目的だけで冷却用ＦＡＮの回転数を上げたりしなければならない問題も起きている。
【０００５】
この改善策として、従来、特開２０００−３６６８１号や特開２００６−１７２２６９号に記載されているように、装置内部の複数個所に部品温度や筐体内温度を測定するためのセンサーを用意し、それらから取得される情報でＦＡＮ回転数制御を行ない、騒音の低下や低消費電力化を図る技術が提案されている。
【先行技術文献】
【特許文献】
【０００６】
【特許文献１】特開２０００−３６６８１号公報
【特許文献２】特開２００６−１７２２６９号公報
【発明の概要】
【発明が解決しようとする課題】
【０００７】
しかし、上記従来技術では高温部位が装置内に多数存在するような場合は一部の高温発熱部位の為だけに、温度センサーが反応してしまい装置全体としてはＦＡＮ回転数を低く維持する事が難しい。仮にＦＡＮ回転数制御範囲を細かく設定しても、実際の顧客先での使用状況を考えた場合、同一ラック内に複数のＰＣサーバを搭載し、それぞれのＰＣサーバがＦＡＮ制御を行なっている状況なので、今度は頻繁にＦＡＮ回転数が変動してしまうとラック内で複数のＦＡＮ回転数が混ざりあってしまい異音の原因になり使用者に不快な思いをさせてしまう。
【０００８】
これらを予防する為、冷却効率を上げてＦＡＮ回転数制御の回数を減らし、低速で安定した回転数を維持する事をそれぞれの装置で実現するべきである。
【０００９】
また、後発サポートされるオプション品にも対応できるような汎用性の実現が必要である。
【課題を解決するための手段】
【００１０】
本発明は、図５のような冷却風を集めるためのダクトと図６のような冷却のし難い部分に実装された高発熱部位をピンポイントで冷却するための蛇腹式冷却チューブを、図１のような高温発熱部位が筐体内に多数点在するＰＣサーバ内に実装する事で、冷却効率を上げ一部の高温発熱部位のためだけにＦＡＮ回転数が高い状態に移行しないよう制御し、各ＰＣサーバでＦＡＮ制御回数を減らし、低速で安定した回転数を維持する事ができる事を主な特徴とする。
【発明の効果】
【００１１】
本来これ以上冷却を必要としない部品でも、たまたま高発熱部位の近傍に配置されていただけで、無駄に冷却されていた。この状態を解消し装置全体で風量の低減を行なう。これにより、消費電力の低減及びＦＡＮ回転数の制御時などに生じる、不快な異音の低減などに効果がある。
【図面の簡単な説明】
【００１２】
【図１】本発明を適用したＰＣサーバの内部配置上面図。
【図２】矢指Ａ図。
【図３】背面図。
【図４】ダクト取り付け方法を示した説明図。
【図５】ダクト詳細図。
【図６】冷却チューブ詳細図。
【図７】支柱詳細図。
【図８】冷却チューブ固定時の上面図。
【図９】冷却チューブ固定時の側面図。
【発明を実施するための形態】
【００１３】
ＰＣサーバに限らず色々な電化製品へ汎用的に利用できるように、簡単な構造部品の組み合わせのみで実現した。
【００１４】
以下、本発明の実施例を図１〜図９を用いて詳細に説明する。
【００１５】
図１は、本発明を適用したＰＣサーバ１の一例を内部部品の配置場所が分かるように上方から示した図である。
【００１６】
図２は、ＰＣサーバ１を中央部分で輪切りにし、正面方向が見た図である。
【００１７】
図３は、ＰＣサーバ１を背面から見た図である。
【００１８】
図１に示すように一つの筐体内には複数の高発熱部位：電源ユニット３、ハードディスク６、ＣＰＵ８、メモリ９、オプションボード１０、ＬＳＩ１１、ＣＰＵ用ヒートシンク１２、ＬＳＩ用ヒートシンクがいたる所に点在している。
【００１９】
殆どの高発熱部位は、冷却ＦＡＮ４からの冷却風により、直接冷却できているが、図２に示すような大きなＣＰＵ用ヒートシンク１２やヒートシンク１３の影に隠れてしまうＬＳＩ１１や、図３に示すような上下に重なったオプションボード１０は冷却ＦＡＮ４からの直接あたる冷却風のみでは冷却効果が薄いため、ピンポイントで冷却できるように本発明ダクト１６及び冷却チューブ１９を筐体内に設置している。
【００２０】
図４は、ＦＡＮ固定金具５にダクト１６を取り付けた図である。
【００２１】
図５は、冷却ＦＡＮ４の冷却風を集めるためのプラスチック製ダクト１６の詳細図である。
【００２２】
図６は、高温部位に冷却風を運ぶための冷却チューブ詳細図である。
【００２３】
図４に示すようにＦＡＮ固定金具５には、ダクト固定用ネジ穴１５が開いておりこの穴にはＭ３ネジのバーリング処理が施してある。
【００２４】
図５に示すダクト１６のＦＡＮ固定金具への取り付け穴１７にＭ３ネジを通し、図４に示すダクト固定用ネジ穴１５に共締めでネジ止めを２ケ所する事でダクト１６は固定できる。固定箇所は、図４に示すように各ＦＡＮの上下に設けてあり、筐体内の構造を考慮して最適な場所に固定すれば問題無い。
【００２５】
又、図５に示す冷却チューブ取り付け穴１８は直径１０ｍｍの穴で、その内側にはバーリング処理が施されている。
【００２６】
図６に示す蛇腹式プラスチック製冷却チューブ１９は蛇腹式になっており、伸縮や曲げを自在に行なう事ができる。但し伸縮や曲げを行った場合にも冷却風の通り道を確実に確保できるように中央部分はストロー状になっている。
【００２７】
冷却チューブ１９の一方にはダクトへの取り付けようネジ山２１が施されておりこのネジ山を使って冷却チューブ取り付け穴１８にネジ込み接続する。
【００２８】
また、もう一方の端は高発熱部位への噴出し口２０で構成されている。
【００２９】
冷却チューブ１９の直径は、１０ｍｍ以外にも８ｍｍや５ｍｍなど装置の空きスペースに併せて選択可能である。
【００３０】
図７は、冷却チューブ１９を固定するためのプラスチック製支柱の詳細図です。
【００３１】
図８は、冷却チューブ１９を曲げた際の上方図です。
【００３２】
図９は、冷却チューブ１９をＰＣサーバ1内の空間を利用して配置した際の側面図です。
【００３３】
図７に示す、支柱２２は装置内に固定するための土台部分と、色々な高さに冷却チューブを配置するための首の部分及び冷却チューブを挟み込んで固定するための頭部分が存在する。頭部分はクランプのように開閉式になっており、冷却チューブの蛇腹凹み部分に絡ませて使用する。
【００３４】
図８のように装置内の各基点に土台部分を利用し配置し冷却チューブを曲げ、高温発熱部位の近傍まで冷却チューブ１９の噴出し口２０を誘導する事ができる。
【００３５】
又、首部分には長さの違う物も存在し、それらを選択して配置する事で、図９に示すようなＰＣサーバ天板２３近くにある、高温発熱部位：オプションボード１０のより近傍にも噴出し口２０を配置する事ができる。
【００３６】
以上により色々な障壁に邪魔されずFAN回転数が低い状態でも高発熱部位まで新鮮な冷却風を届ける事ができる為、高発熱部位の温度を一定に保つ事が出来る。
【００３７】
また、結果的に無駄にFAN回転数を高回転に変動させる必要もなくなる為、騒音も消費電力も低く抑える事ができる。
【符号の説明】
【００３８】
１…ＰＣサーバ、２…マザーボード、３…電源ユニット、４…冷却ＦＡＮ、５…ＦＡＮ固定金具、６…ハードディスク、７…テープデバイス、８…ＣＰＵ、９…メモリ、１０…オプションボード、１１…ＬＳＩ、１２…ＣＰＵ用ヒートシンク、１３…ヒートシンク、１４…背面排気口、１５…ダクト固定用ネジ穴、１６…プラスチック製ダクト、１７…ＦＡＮ固定金具への取り付け穴、１８…冷却チューブ取り付け穴、１９…蛇腹式プラスチック製冷却チューブ、２０…噴出し口、２１…ダクトへの取り付けようネジ山、２２…プラスチック製支柱、２３…ＰＣサーバ天板、２４…ＰＣサーバ底板。
【図１】
2012234855.tif 000003
【図２】
2012234855.tif 000004
【図３】
2012234855.tif 000005
【図４】
2012234855.tif 000006
【図５】
2012234855.tif 000007
【図６】
2012234855.tif 000008
【図７】
2012234855.tif 000009
【図８】
2012234855.tif 000010
【図９】
2012234855.tif 000011